(57)【特許請求の範囲】
【請求項１】
複数のアンテナの何れか１つを選択してアナログテレビ放送を受信する無線受信装置であって、
前記複数のアンテナの何れか１つを選択するアンテナ選択手段と、
前記選択されたアンテナより出力される受信信号から複合映像信号と複合同期信号を再生する受信手段と、
前記複合同期信号の水平同期信号成分が水平ブランキング期間に同期し連続して第１の回数再生されていることを検出すると連続性有りと判断し、且つ該連続性を有している状態が１垂直走査期間内において第２の回数以上発生していることを検出すると連続性の頻度が高い状態と判断すると共に、更に、該連続性の頻度の高い状態が連続して第３の回数生じたことを検出すると、前記複合同期信号が時間的に高い頻度で連続して再生されていると判定して、補正指示を行わない旨の補正制御信号を発生し、前記連続性の頻度の高い状態が連続する回数が第３の回数未満であることを検出すると、前記複合同期信号が時間的に高い頻度で連続して再生されていないと判定して、補正指示を示す補正制御信号を発生する連続性判定手段と、
前記アンテナ選択手段によって所定のタイミングで前記複数のアンテナが個々に選択されたときに前記受信手段で再生される各々の複合映像信号のレベルを検出し、各々のレベル検出信号を出力するレベル検出手段と、
前記補正指示を示す補正制御信号が連続性判定手段から発生されているときに、前記各々のレベル検出信号の最下位ビットから１又は複数ビットについて所定のバイナリデータで変更する補正処理を施すことにより、不安定性を除去した各々の補正検出信号を生成する補正手段と、
前記各々の補正検出信号を比較し、最大の補正検出信号に対応する前記複数のアンテナの何れか１つを選択すべく前記アンテナ選択手段を制御するアンテナ切替制御手段と、
を有することを特徴とする無線受信装置。
【発明の詳細な説明】
【技術分野】
【０００１】
本発明は、ダイバーシティ受信を行う無線受信装置に関する。
【背景技術】
【０００２】
従来、自動車や携帯電話機等の移動体に搭載される無線受信装置では、フェージングによる受信品質の劣化を改善するため、中継局や基地局からの放送波を受信するためのアンテナを２個以上設けておき、受信電界強度が最高となったアンテナに切り替えて受信を行うダイバーシティ受信方式が採用されている。
【０００３】
例えば、従来のダイバーシティ受信方式を採用した受信装置として、特開２００３−１３４０１４号公報に開示された車載用テレビ受信機が知られている。
【０００４】
この従来の無線受信装置は、同特許文献の図１に示されているように、４個のアンテナ（101）〜（104）と、アンテナ選択回路（11）と、同調受信とＡＧＣ制御及び検波等を行う受信手段（12）と、映像レベル差検出回路（13）、電界強度検出回路（14）、ヒステリシス回路（15）、記憶手段としてのテーブル（16）を有して形成されており、最高の受信電界強度が得られるアンテナを検出して切り替えるようになっている。
【０００５】
すなわち、受信手段（12）が、アンテナ（101）〜（104）に生じる各々の受信信号をアンテナ選択回路（11）を介して入力し、同調受信による周波数変換によって各中間周波信号（ＩＦ信号）を生成し、更にＡＧＣ制御を施して検波等を行うことで、各映像信号を再生している。
【０００６】
そして、電界強度検出回路（14）が、上述のＡＧＣ制御の際に受信手段（12）内で生成されるＡＧＣ制御信号のレベルに基づいて各ダイバーシティアンテナ（101）〜（104）毎の受信電界強度を検出し、更に、映像レベル差検出回路（12）が、各映像信号のペデスタルレベル（ALVL1）〜（ALVL4）を検出すると共に、その中で最大となるペデスタルレベルを最大値（ALVLMAX）として検出し、各々のレベル差│ALVL1-ALVLMAX│〜│ALVL4-ALVLMAX│を演算している。
【０００７】
そして、ヒステリシス回路（15）が、各受信電界強度（ALVL1）〜（ALVL4）に対応するヒステリシスの値（AHIS）をテーブル（16）から検索し、レベル差│ALVL1-ALVLMAX│〜│ALVL4-ALVLMAX│の中でヒステリシスの値（AHIS）よりも大レベルとなったときのダイバーシティアンテナに切り替えるべく、アンテナ選択回路（11）に対して切り替え制御を行っている。
【０００８】
【特許文献１】
特開２００３−１３４０１４号公報
【発明の開示】
【発明が解決しようとする課題】
【０００９】
ところで、上述の車載用テレビ受信装置のように、ＡＧＣ制御信号と映像信号のレベルを検出し、それらのレベル検出結果のみに基づいて最高の受信電界強度が得られるアンテナを検出して切り替える従来の無線受信装置にあっては、弱電界の下では、受信品質の劣化を改善し得るアンテナを高精度で検出することが困難となる場合があり、受信品質が低下してしまうという問題があった。
【００１０】
すなわち、全てのダイバーシティアンテナにおいて受信電界強度が低下する弱電界の下で、受信手段（12）がＡＧＣ制御と検波等を行うと、ＡＧＣ制御信号と映像信号のＳ／Ｎが劣化することなるため、ＡＧＣ制御信号と映像信号とのレベルのみに基づいて最高の受信電界強度が得られるアンテナを検出しようとしても、精度良く検出することができなくなる場合を招来する。その結果、例えば、不必要にアンテナ切り替えを繰り返す等の不安定な状況を招来し、受信品質が低下してしまうという問題があった。
【００１１】
本発明は、このような従来の問題点に鑑みてなされたものであり、弱電界の下でも安定性の高いダイバーシティ受信を実現し、受信品質の低下を未然に防止し得る無線受信装置を提供することを目的とする。
【００１２】
また、アナログテレビ放送を受信する無線受信装置であって、弱電界の下でも安定性の高いダイバーシティ受信を実現し、受信品質の低下を未然に防止し得る無線受信装置を提供することを目的とする。
【００１３】
また、地上ディジタル放送を受信する無線受信装置であって、弱電界の下でも安定性の高いダイバーシティ受信を実現し、受信品質の低下を未然に防止し得る無線受信装置を提供することを目的とする。
【００１４】
【課題を解決するための手段】
請求項１に記載の発明は、複数のアンテナの何れか１つを選択してアナログテレビ放送を受信する無線受信装置であって、前記複数のアンテナの何れか１つを選択するアンテナ選択手段と、前記選択されたアンテナより出力される受信信号から複合映像信号と複合同期信号を再生する受信手段と、前記複合同期信号の水平同期信号成分が水平ブランキング期間に同期し連続して第１の回数再生されていることを検出すると連続性有りと判断し、且つ該連続性を有している状態が１垂直走査期間内において第２の回数以上発生していることを検出すると連続性の頻度が高い状態と判断すると共に、更に、該連続性の頻度の高い状態が連続して第３の回数生じたことを検出すると、前記複合同期信号が時間的に高い頻度で連続して再生されていると判定して、補正指示を行わない旨の補正制御信号を発生し、前記連続性の頻度の高い状態が連続する回数が第３の回数未満であることを検出すると、前記複合同期信号が時間的に高い頻度で連続して再生されていないと判定して、補正指示を示す補正制御信号を発生する連続性判定手段と、前記アンテナ選択手段によって所定のタイミングで前記複数のアンテナが個々に選択されたときに前記受信手段で再生される各々の複合映像信号のレベルを検出し、各々のレベル検出信号を出力するレベル検出手段と、前記補正指示を示す補正制御信号が連続性判定手段から発生されているときに、前記各々のレベル検出信号の最下位ビットから１又は複数ビットについて所定のバイナリデータで変更する補正処理を施すことにより、不安定性を除去した各々の補正検出信号を生成する補正手段と、前記各々の補正検出信号を比較し、最大の補正検出信号に対応する前記複数のアンテナの何れか１つを選択すべく前記アンテナ選択手段を制御するアンテナ切替制御手段と、を有することを特徴とする。
【００１７】
本発明の実施の形態について、図１及び図２を参照して説明する。図１は、アナログテレビ放送を受信する第１の実施形態としての無線受信装置の構成を表したブロック図、図２は、地上ディジタル放送を受信する第２の実施形態としての無線受信装置の構成を表したブロック図であり、これら２態様の無線受信装置について説明することとする。
【００１８】
〈第１の実施形態〉
図１において、この無線受信装置１は、複数個（本実施形態では４個）のダイバーシティアンテナ２a，２b，２c，２dが接続されたアンテナ選択部３と、アンテナ選択部３で切り替えられた、何れか１つのダイバーシティアンテナからの受信信号Ｓinを入力する受信部４と、レベル検出部５、連続性判定部６、同期信号再生部７、補正部８、アンテナ切替制御部９を有して構成されている。
【００１９】
アンテナ選択部３は、後述するアンテナ切替制御信号ＣＨＧの指示に従って、４個のダイバーシティアンテナ２a〜２dのうちの１つと受信部４とを接続する。
【００２０】
受信部４は、ユーザによって選局されたアナログテレビ放送を受信すべく、受信信号Ｓinと所謂局発信号とを混合することで中間周波信号（ＩＦ信号）を生成し、そのＩＦ信号に対して検波処理を施すことで複合映像信号（コンポジット信号）Ｃvdと複合同期信号Ｃsyncを再生し、更に複合映像信号Ｃvdに対して復調処理を施すことで、スピーカ等に供給するための音声信号Ｓauと、ディスプレイ等に供給するための映像信号Ｓvdを再生して出力する。
【００２１】
レベル検出部５は、受信部４で生成される複合映像信号Ｃvdのうち、垂直ブランキング期間に同期して生じるペデスタルレベルを検出し、その検出結果をＮビット（本実施形態では８ビット）のバイナリデータから成るレベル検出信号ＤＬＶ(i)にアナログディジタル変換して、補正部８へ供給する。更に、レベル検出部５は、後述の同期信号再生部７から供給される垂直同期信号Ｖdに同期して、上述の垂直ブランキング期間に同期して生じるペデスタルレベルを検出する。
【００２２】
なお、説明の便宜上、アンテナ選択部３がダイバーシティアンテナ２a，２b，２c，２d側の各接点ａ，ｂ，ｃ，ｂに切り替わったときに、レベル検出部５から出力される各々のレベル検出信号ＤＬＶ(i)を、ＤＬＶ(a)，ＤＬＶ(b)，ＤＬＶ(c)，ＤＬＶ(d)で表し、また、各々のレベル検出信号ＤＬＶ(a)，ＤＬＶ(b)，ＤＬＶ(c)，ＤＬＶ(d)の総称をＤＬＶ(i)で表すこととする。
【００２３】
補正部８は、低電界の下で受信した場合にレベル検出信号ＤＬＶ(i)に生じる不安定性を取り除くための補正処理を、後述の連続性判定部６から供給される補正制御信号ＣＭＰの指示に従って行い、その補正を施した信号（以下「補正検出信号」と称する）ＤＬＶＣ(i)を出力する。
【００２４】
より具体な補正処理方法として、本実施形態の補正部８では、補正制御信号ＣＭＰの指示に従って、レベル検出信号ＤＬＶ(i)の最下位ビットを強制的に“０”にして出力、又はレベル検出信号ＤＬＶ(i)をそのまま出力する。
【００２５】
すなわち、補正制御信号ＣＭＰによって、レベル検出信号ＤＬＶ(i)を補正すべき指示（以下「補正指示」と称する）がなされると、補正部８は、レベル検出信号ＤＬＶ(i)の下位ビット、例えば最下位ビットのみを強制的に“０”にすることで、レベル検出信号ＤＬＶ(i)について不安定性を補正した補正検出信号ＤＬＶＣ(i)を出力する。つまり、本実施形態の補正部８は、レベル検出部５から、例えば“０００００１１１”で表されるレベル検出信号ＤＬＶ(i)が供給された際に、補正制御信号ＣＭＰによって「補正指示」がなされていた場合には、“０００００１１０”で表される階調度を低下させた補正検出信号ＤＬＶＣ(i)を生成して出力することにより、レベル検出信号ＤＬＶ(i)における不安定性を補正することとしている。
【００２６】
一方、補正制御信号ＣＭＰによって「補正指示」がなされないときには、補正部８は、レベル検出信号ＤＬＶ(i)をそのまま補正検出信号ＤＬＶＣ(i)として出力する。つまり、補正部８は、レベル検出部５から、例えば“０００００１１１”で表されるレベル検出信号ＤＬＶ(i)が供給された際に、補正制御信号ＣＭＰによって「補正指示」がなされていない場合には、“０００００１１１”で表される補正検出信号ＤＬＶＣ(i)を出力する。
【００２７】
アンテナ切替制御部９は、後述の同期信号再生部７から供給される垂直同期信号Ｖdに同期して、垂直ブランキング期間から次の最初の水平走査期間に移行する前までの期間において、アンテナ切替制御信号ＣＨＧをアンテナ選択部３に供給し、最も良好な受信品質が得られるダイバーシティアンテナに切り替えさせる。
【００２８】
すなわち、アンテナ切替制御部９は、まず、アンテナ切替制御信号ＣＨＧによってアンテナ選択部３を切替制御し、受信部４と各ダイバーシティアンテナ２a，２b，２c，２dとを接続させる。これにより、レベル検出部５からは、レベル検出信号ＤＬＶ(a)，ＤＬＶ(b)，ＤＬＶ(c)，ＤＬＶ(d)が出力され、補正部８からは補正検出信号ＤＬＶＣ(a)，ＤＬＶＣ(b)，ＤＬＶＣ(c)，ＤＬＶＣ(d)が出力される。次に、アンテナ切替制御部９は、これら補正検出信号ＤＬＶＣ(a)，ＤＬＶＣ(b)，ＤＬＶＣ(c)，ＤＬＶＣ(d)の最大値を検出し、最大値に相当するダイバーシティアンテナを最も良好な受信品質が得られるダイバーシティアンテナであると判断する。そして、その判断したダイバーシティアンテナと受信部４とを接続させるべく、アンテナ切替制御信号ＣＨＧによってアンテナ選択部３を切り替え制御する。
【００２９】
例えば、上述の最大値に相当するダイバーシティアンテナがダイバーシティアンテナ２aであった場合、アンテナ選択部３は、ダイバーシティアンテナ２aと受信部４とを接続させる。
【００３０】
同期信号再生部７は、受信部４が複合映像信号Ｃvdから同期分離を行って出力する複合同期信号Ｃsyncを入力し、その複合同期信号Ｃsyncに含まれている水平同期信号成分と垂直同期信号成分を検出する。そして、検出した水平同期信号成分に同期し且つアナログテレビ放送の規格に準拠した所定の水平同期周波数（ＮＴＳＣ方式の場合は、約１５．７３ｋＨｚの周波数）となる水平同期信号Ｈwを発生すると共に、検出した垂直同期信号成分に同期し且つアナログテレビ放送の規格に準拠した所定の垂直同期周波数（ＮＴＳＣ方式の場合には、約６０Ｈｚの周波数）となる垂直同期信号Ｖdを発生する。
【００３１】
連続性判定部６は、水平同期信号Ｈwに同期して、複合同期信号Ｃsyncから水平同期信号成分を検出するための処理を行う。そして、その検出処理によって水平同期信号成分を検出することができたか否か、水平同期信号成分を連続して検出することができたか否か、連続して検出ことができた場合にはその連続性が所定の頻度で生じたか否かを調べることにより、低電界の下で受信中か否かの判定を行う。そして、低電界ではないと判定した場合には、補正部８に対して「補正指示」を行わない旨の補正制御信号ＣＭＰを出力し、低電界であると判定した場合には、補正部８に対して「補正指示」を示す補正制御信号ＣＭＰを出力する。
【００３２】
より詳細に述べれば、連続性判定部６は、垂直同期信号Ｖdの各垂直走査期間（すなわち、１Ｖ期間）Ｔv内において、水平同期信号成分と水平同期信号Ｈwとの時間軸上での「一致性」と、「水平走査期間における連続性」と、「水平走査期間における連続性の頻度」との条件（以下「水平走査期間における条件」と称する）が満たされているか否か調べ、更に、「水平走査期間における条件」を満足する１Ｖ期間Ｔvが所定回数ｋ連続する条件（以下「垂直走査期間における条件」と称する）が満たされているか否か調べる。そして、「水平走査期間における条件」と「垂直走査期間における条件」との両者共満たされている場合に、低電界ではないとする判定を行い、一方の条件でも満たされていない場合には、低電界であるとする判定を行って、各々の判定結果に応じた補正制御信号ＣＭＰを出力する。
【００３３】
ここで、上述の「一致性」とは、１Ｈ期間（水平走査期間）Ｔh毎の水平ブランキング期間において水平同期信号Ｈwが発生する時点で、水平同期信号成分が検出されたか否かを言う。したがって、連続性判定部６は、水平同期信号Ｈwの発生時点で水平同期信号成分が検出された場合には、「一致性」が有ると判断し、一方、水平同期信号Ｈwが発生する時点で、水平同期信号成分が検出されなかった場合（水平同期信号成分が欠落しているような場合）には、「一致性」が無いと判断する。
【００３４】
上述の「連続性」とは、水平同期信号Ｈwとの「一致性」を有する水平同期信号成分が所定回数ｎ（本実施形態では、３回）連続して検出されたか否かを言う。そして、連続性判定部６は、水平同期信号Ｈwとの「一致性」を有する水平同期信号成分が、少なくとも１Ｈ期間Ｔhのｎ倍の期間（すなわち、ｎＨ期間）に亘って連続して検出された場合に、「連続性」が有ると判断し、一方、水平同期信号Ｈwとの「一致性」を有する水平同期信号成分が、１Ｈ期間Ｔhのｎ倍未満の期間（すなわち、ｎＨ期間より短い期間）に亘って連続したとしても、「連続性」が無いと判断する。
【００３５】
上述の「連続性の頻度」とは、１Ｖ期間Ｔv内において、「連続性」を有している状態が発生する回数を言う。そして、連続性判定部６は、１Ｖ期間Ｔv内において、「連続性」を有している状態が発生した回数ｍを計数し、その計数した回数ｍが所定回数ｕ（本実施形態では、６３回）以上発生した場合には、「連続性の頻度」が高いと判断し、一方、「連続性」を有している状態が１Ｖ期間Ｔv内においてｕ回未満の場合には、「連続性の頻度」が低いと判断する。
【００３６】
このように、連続性判定部６は、「一致性」と、「連続性」と、「連続性の頻度」の高低とを調べ、「一致性」が無い場合、又は「連続性」が無い場合、又は「連続性の頻度」が低い場合には、「水平走査期間における条件」が満たされていないと判定する。一方、「一致性」及び「連続性」が有り且つ「連続性の頻度」が高い場合には、「水平走査期間における条件」が満たされていると判定する。
【００３７】
次に、上述の「垂直走査期間における条件」とは、「水平走査期間における条件」を満足する１Ｖ期間Ｔvが所定回数ｋ（本実施形態では、３回）連続することを言う。そして、連続性判定部６は、「水平走査期間における条件」を満足する１Ｖ期間Ｔvが所定回数ｋ（すなわち、ｋＶ期間）連続したことを検出すると、「垂直走査期間における条件」が満足されていると判定する。そして、「水平走査期間における条件」と「垂直走査期間における条件」とが満足されていると判定すると、低電界ではないとする判定を行い、一方の条件でも満たされていない場合には、低電界であるとする判定を行って、各々の判定結果に応じた補正制御信号ＣＭＰを出力する。
【００３８】
更に、連続性判定部６は、垂直ブランキング期間内において、「垂直走査期間における条件」が満足されているか否かの判定を完了し、次の１Ｖ期間Ｔv内において、その判定結果に応じて、「補正指示」を行う旨の補正制御信号ＣＭＰ、又は「補正指示」を行わない補正制御信号ＣＭＰを出力する。
【００３９】
以上説明したように、本実施形態の無線受信装置１では、連続性判定部６は、複合同期信号Ｃsync中の水平同期信号成分について「水平走査期間における条件」と「垂直走査期間における条件」が満たされているか否か調べることによって、水平同期信号成分が時間的に高い頻度で連続して復調されているか否かを判定し、更に、水平同期信号成分が高い頻度で連続して復調されていると判定した場合に低電界ではないと判定する。したがって、単に水平同期信号成分のレベルを調べるだけで低電界の下で受信中か否かの判定をするのとは異なり、より高精度で低電界の下で受信中か否かの判定をすることができる。
【００４０】
更に、連続性判定部６が、低電界か否かの判定結果に応じた補正制御信号ＣＭＰを補正部８に供給し、低電界でないときには、補正部８はレベル検出部５から供給されるレベル検出信号ＤＬＶ(a)，ＤＬＶ(b)，ＤＬＶ(c)，ＤＬＶ(d)をそのまま補正検出信号ＤＬＶＣ(a)，ＤＬＶＣ(b)，ＤＬＶＣ(c)，ＤＬＶＣ(d)としてアンテナ切替制御部９に供給し、低電界のときには、補正部８はレベル検出信号ＤＬＶ(a)，ＤＬＶ(b)，ＤＬＶ(c)，ＤＬＶ(d)の最下位ビットを強制的に“０”にして、補正検出信号ＤＬＶＣ(a)，ＤＬＶＣ(b)，ＤＬＶＣ(c)，ＤＬＶＣ(d)をアンテナ切替制御部９に供給して、ダイバーシティアンテナ２a〜２dを切り替えるための制御を行わせる。
【００４１】
つまり、低電界の下で受信中のときには、レベル検出部５から出力されるレベル検出信号ＤＬＶ(a)，ＤＬＶ(b)，ＤＬＶ(c)，ＤＬＶ(d)は、最下位ビットの値が不安定となり信頼性が無いことから、仮にアンテナ切替制御部９が、レベル検出信号ＤＬＶ(a)，ＤＬＶ(b)，ＤＬＶ(c)，ＤＬＶ(d)を比較して、最大値となっているレベル検出信号に対応するダイバーシティアンテナを選択したのでは、精度の良い選択を行うことができなくなる。これに対し、本実施形態では、不安定で信頼性の無い最下位ビットを強制的に“０”に変更することで不安定性を除去した補正検出信号ＤＬＶＣ(a)，ＤＬＶＣ(b)，ＤＬＶＣ(c)，ＤＬＶＣ(d)をアンテナ切替制御部９に供給し、アンテナ切替制御部９がかかる補正検出信号ＤＬＶＣ(a)，ＤＬＶＣ(b)，ＤＬＶＣ(c)，ＤＬＶＣ(d)を比較して、最大値となっている補正検出信号に対応するダイバーシティアンテナを選択するので、最も良好な受信品質の得られるダイバーシティアンテナを精度良く且つ高い安定性をもって選択することができる。このため、低電界の下でのダイバーシティアンテナの切り替えが不安定とはならず、受信品質の向上を実現することが可能である。
【００４２】
なお、本実施形態では、レベル検出信号ＤＬＶ(a)，ＤＬＶ(b)，ＤＬＶ(c)，ＤＬＶ(d)の最下位ビットを強制的に“０”に変更することで不安定性を除去した補正検出信号ＤＬＶＣ(a)，ＤＬＶＣ(b)，ＤＬＶＣ(c)，ＤＬＶＣ(d)を生成することとしているが、最下位ビットを強制的に“１”に変更しても良いし、最下位ビットから上位複数ビットについて、所定のバイナリデータで変更するようにしてもよい。すなわち、低電界の下で不安定となる最下位ビットから１又は複数ビットを予め決めておき、当該１又は複数ビットについて、所定のバイナリデータで変更するようにしてもよい。
【００４３】
また、本実施形態では、連続性判定部６の判定結果、すなわち「補正指示」の有無に応じて、補正部８がレベル検出信号ＤＬＶ(a)，ＤＬＶ(b)，ＤＬＶ(c)，ＤＬＶ(d)の所定ビットを他のビットデータに置換することで、低電界の下で受信した場合の不安定性を取り除くこととしているが、当該所定ビットを他のビットデータに置換する技法に限らず、レベル検出信号から不安定性を取り除く他の技法を講じるようにしてもよい。
【００４４】
また、本実施形態では、水平同期信号成分が時間的に高い頻度で連続して復調されているか否かの判定、すなわち、受信品質の良い状態を判定することとしているが、かかる場合とは逆に、水平同期信号成分が復調されていない状態が時間的に高い頻度で連続しているか否かの判定、すなわち、受信品質の悪い状態を判定するようにしてもよい。
【００４５】
すなわち、連続性判定部６は、水平同期信号成分が復調されていない状態が高い頻度で連続していると判定した場合に低電界であると判定して、補正部８に対して「補正指示」を示す補正制御信号ＣＭＰを供給し、水平同期信号成分が復調されていない状態が高い頻度で連続していないと判定した場合に低電界ではないと判定して、補正部８に対して「補正指示」を行わない旨の補正制御信号ＣＭＰを供給するようにしてもよい。
【００４６】
また、水平同期信号成分や垂直同期信号成分に基づいて連続性の有無を検出する場合に限らず、復調された信号の他の信号成分に基づいて連続性の判断を行うようにしてもよい。
【００４７】
〈第２の実施形態〉
次に、地上ディジタル放送を受信する無線受信装置について、図２を参照して説明する。なお、同図（ａ）は、本実施形態の無線受信装置の構成を表したブロック図、同図（ｂ）は、地上ディジタル放送で採用されている多重符号化方式（ＭＰＥＧ-２システム）で規定されているトランスポートストリーム（ＴＳ：Transport Stream）の構成を模式的に表した図である。
【００４８】
同図（ａ）において、この無線受信装置１０は、複数個（本実施形態では２個）のダイバーシティアンテナ１１x，１１yが接続された２系統の受信部１２x，１２yと、受信部１２x，１２yに同じ局発信号ＬＯを供給する局部発振器１３と、連続性判定部１４x，１４yと、補正部１５x，１５y、合成部１６、復号部１７を有して構成されている。
【００４９】
局部発振器１３は、ユーザから指示される放送チャンネルＣＨに対応する同調周波数の局発信号ＬＯを発生し、受信部１２x，１２yに供給する。
【００５０】
受信部１２xは、ダイバーシティアンテナ１１xに生じる受信信号Ｓxinと局発信号ＬＯとを混合することによって中間周波信号（ＩＦ信号）を生成し、更にそのＩＦ信号をディジタルデータにアナログディジタル変換した後、同期処理とＦＦＴ（高速フーリエ変換）と復調処理と誤り訂正処理等の各処理を施すことにより、同図（ｂ）に示すような構造から成るトランスポートストリームＴＳxxを生成して出力する。
【００５１】
受信部１２yも受信部１２xと同様に、ダイバーシティアンテナ１１yに生じる受信信号Ｓyinと局発信号ＬＯとを混合することによって中間周波信号（ＩＦ信号）を生成し、更にそのＩＦ信号をディジタルデータにアナログディジタル変換した後、同期処理とＦＦＴと復調処理と誤り訂正処理等の各処理を施すことにより、同図（ｂ）に示すような構造から成るトランスポートストリームＴＳyyを生成して出力する。
【００５２】
すなわち、トランスポートストリームＴＳxxとＴＳyyは、同図（ｂ）に示すように、１８８バイトのトランスポートストリームパケット（ＴＳパケット）ＴＳＰの集まりとして構成され、各ＴＳパケットＴＳＰは、トランスポートストリームヘッダ（ＴＳヘッダ）とトランスポートストリームペイロード（ＴＳペイロード）とで構成され、更に、ＴＳペイロードは、エレメンタリストリームで構成されるようになっている。そして、エレメンタリストリームに、バイト単位の映像データや音声データが格納されて放送局側から送られてくるようになっている。
【００５３】
連続性判定部１４xは、受信部１２xが上述の誤り訂正処理を行う際に出力する訂正数データＤrxを入力する。すなわち、受信部１２xがＴＳパケット単位でビタビ復号やリードソロモン復号による誤り訂正処理を行ってトランスポートストリームＴＳxxを生成する際に、上述の映像データや音声データについて訂正したバイト数を示す訂正数データＤrxを出力し、この訂正数データＤrxを連続性判定部１４xが入力する。
【００５４】
更に、連続性判定部１４xは、受信部１２xからＴＳパケット単位で出力される訂正数データＤrxが所定バイト数ｒ（本実施形態では、５バイト）訂正したことを示し、且つ所定個数ｓ（本実施形態では、３個）のＴＳパケットについて連続していることを検出すると、エラー検知信号Ｅxdを内部で発生する。更に、連続する所定個数Ｔ（本実施形態では、２５６個）分のＴＳパケットについての訂正数データＤrxを入力する期間内に、そのエラー検知信号Ｅxdの発生回数ｐを計数し、その発生回数ｐが所定回ｑ（本実施形態では、３１回）以上のときに不安定検出信号Ｅxusを内部で発生する。そして更に、不安定検出信号Ｅxusを所定回ｈ（本実施形態では、３回）連続して発生することとなった場合に、次のＴ個のＴＳパケットの期間において、「補正指示」を示す補正制御信号ＣＭＰxを補正部１５xに供給する。
【００５５】
つまり、受信部１２xが各ＴＳパケットについて所定バイト数ｒの誤り訂正処理を行い、且つその訂正処理をｓ回連続して行った場合に、連続性判定部１４xがエラー検知信号Ｅxdを発生する。更に、受信部１２xが連続する所定個数Ｔ分のＴＳパケットについて誤り訂正処理を行う期間内に、連続性判定部１４xがエラー検知信号Ｅxdの発生回数ｐを計数し、その発生回数ｐが所定回ｑ以上となった場合に、不安定検出信号Ｅxusを発生する。そして更に、連続性判定部１４xは、不安定検出信号Ｅxusを所定回ｈ連続して発生することとなった場合に、次のＴ個のＴＳパケットの期間において、補正部１５xに対して後述の補正処理を行わせるための「補正指示」を示す補正制御信号ＣＭＰxを出力する。
【００５６】
このように、連続性判定部１４xは、訂正数データＤrxを調べることにより、誤り訂正処理の行われたＴＳパケット内のバイト数と、誤り訂正処理の行われたＴＳパケットの連続性と、所定個数Ｔ分のＴＳパケットの期間内におけるその連続性の発生頻度の高低を判断し、更にその発生頻度が高い状態が所定回ｈ連続して発生することとなった場合に、低電界の下で受信していると判定して、「補正指示」を示す補正制御信号ＣＭＰxを出力する。一方、連続性判定部１４xは、上述の発生頻度が高い状態が所定回ｈ未満の場合には、低電界ではないと判定して、「補正指示」を行わない補正制御信号ＣＭＰxを出力する。
【００５７】
補正部１５xは、「補正指示」を示す補正制御信号ＣＭＰxが供給される期間において、受信部１２xから出力されるＴＳパケット中のＴＳペイロード（より詳細には、エレメンタリストリーム）に対して、最下位ビットのデータを強制的に“０”にする低電界による悪影響を除く補正処理を行って出力する。例えば、最下位ビットのデータを強制的に“０”にすることで、ＴＳペイロード内の音声データや映像データの階調度を低下させる。一方、「補正指示」行わない旨の補正制御信号ＣＭＰxが供給される期間では、受信部１２xから出力されるＴＳパケット中のＴＳペイロードに対して、最下位ビットのデータを強制的に“０”にする補正処理を行うことなく、そのまま出力する。
【００５８】
したがって、補正部１５xは、補正制御信号ＣＭＰxの指示に従って、補正処理を行ったＴＳパケットのみの期間と補正処理を行わないＴＳパケットのみの期間との系列から成るトランスポートストリームＴＳxcを出力する。
【００５９】
連続性判定部１４yも連続性判定部１４xと同様の処理を行って、補正制御信号ＣＭＰyを出力し、補正部１５yも補正制御信号ＣＭＰyの指示に従って、補正部１５xと同様の補正処理を行って、補正処理を行ったＴＳパケットのみの期間と補正処理を行わないＴＳパケットのみの期間との系列から成るトランスポートストリームＴＳycを出力する。
【００６０】
すなわち、連続性判定部１４yは、受信部１２yからＴＳパケット単位で出力される訂正数データＤryが所定バイト数ｒ（本実施形態では、５バイト）訂正したことを示し、且つ所定個数ｓ（本実施形態では、３個）のＴＳパケットについて連続していることを検出すると、エラー検知信号Ｅydを内部で発生する。更に、連続する所定個数Ｔ（本実施形態では、２５６個）分のＴＳパケットについての訂正数データＤryを入力する期間内に、そのエラー検知信号Ｅydの発生回数ｐを計数し、その発生回数ｐが所定回ｑ（本実施形態では、３１回）以上のときに不安定検出信号Ｅyusを内部で発生する。そして更に、不安定検出信号Ｅyusを所定回ｈ（本実施形態では、３回）連続して発生することとなった場合に、次の個数ＴのＴＳパケットの期間において、「補正指示」を示す補正制御信号ＣＭＰyを補正部１５yに供給する。一方、連続性判定部１４yは、上述の発生頻度が低い状態の場合（別言すれば、発生頻度が高い状態が所定回ｈ未満の場合）には、「補正指示」を行わない補正制御信号ＣＭＰyを出力する。
【００６１】
そして、補正部１５yは、「補正指示」を示す補正制御信号ＣＭＰyが供給される期間において、受信部１２yから出力されるＴＳパケット中のＴＳペイロード（より詳細には、エレメンタリストリーム）に対して、最下位ビットのデータを強制的に“０”にする補正処理を行って出力する。一方、「補正指示」を行わない旨の補正制御信号ＣＭＰyが供給される期間では、受信部１２yから出力されるＴＳパケット中のＴＳペイロードに対して、最下位ビットのデータを強制的に“０”にする補正処理を行うことなく、そのまま出力する。
【００６２】
合成部１６は、トランスポートストリームＴＳxcとＴＳycを入力すると共に、受信部１２xが上述の誤り訂正を行う際に出力するエラーレートを示すデータＢＥＲxと、受信部１２yが上述の誤り訂正を行う際に出力するエラーレートを示すデータＢＥＲyを入力する。
そして、データＢＥＲxとＢＥＲyを比較し、データＢＥＲxの方が良好な受信品質を示しているときには、トランスポートストリームＴＳxcのＴＳパケットを出力し、データＢＥＲyの方が良好な受信品質を示しているときには、トランスポートストリームＴＳycのＴＳパケットを出力する。
【００６３】
すなわち、合成部１６は、データＢＥＲxとＢＥＲyに基づいて、トランスポートストリームＴＳxcとＴＳycの各ＴＳパケットを切り替えることにより、より良好な受信品質の得られるトランスポートストリームＴＳxyを生成して出力する。
【００６４】
復号部１７は、トランスポートストリームＴＳxyを入力し、所定の音声符号化方式（ＭＰＥＧ-２ Audio）と映像符号化方式（ＭＰＥＧ-２ Video）に準拠した復号処理を施すことにより、放送局側から送られてきた音声信号Ｓauと映像信号Ｓvdを再生して出力する。
【００６５】
更に、復号部１７は、放送局側と本無線受信装置１０の基本クロックを合わせるためにトランスポートストリームＴＳxyに含めて送られてくることとなるＰＣＲ（Program Clock Reference）と呼ばれるクロック情報データを検出し、当該クロック情報データに合わせたタイミング信号Ｓtmを生成して連続性判定部１４xと１４yに供給する。これにより、連続性判定部１４x，１４yは、各ＴＳパケット毎の訂正数データＤrx，Ｄryを、タイミング信号Ｓtmに同期して入力することができるようになっている。
【００６６】
以上に説明した本実施形態の無線受信装置１０によれば、連続性判定部１４x，１４yが、訂正数データＤrx，Ｄryを調べることにより、誤り訂正処理の行われたＴＳパケット内のバイト数と、誤り訂正処理の行われたＴＳパケットの連続性と、所定個数Ｔ分のＴＳパケットの期間内におけるその連続性の発生頻度の高低を判断し、更にその発生頻度が高い状態が所定回ｈ連続して発生することとなった場合に、低電界の下で受信していると判定するので、単に受信部１２x，１２y内で生成されるＩＦ信号等のレベルを調べるだけで低電界の下で受信しているか否かの判定をするのとは異なり、より高精度で低電界の下で受信しているか否かの判定をすることができる。
【００６７】
そして、連続性判定部１４x，１４yが、低電界であると判定すると、「補正指示」を示す補正制御信号ＣＭＰx，ＣＭＰyを出力し、補正部１５x，１５yがその補正制御信号ＣＭＰx，ＣＭＰyの指示に従って、トランスポートストリームＴＳxx，ＴＳyyに対して補正処理を行うことで、低電界の下で受信した場合に不安定となる映像データや音声データの最下位ビットを強制的に“０”に変更し、不安定性を除去したトランスポートストリームＴＳxc，ＴＳycを合成部１６側へ出力し、更に不安定性を除去したトランスポートストリームＴＳxc，ＴＳycのうち、エラーレートに基づいてより良好な受信品質となっているＴＳパケットを復号部１７において復号させるので、低電界の下で受信した場合でも、ダイバーシティアンテナ１１x，１１yの内でより良好な受信品質の得られるダイバーシティアンテナで受信した放送波に基づいて、より高品質の音声信号Ｓauと映像信号Ｓvdを再生することができる。
【００６８】
なお、本実施形態では、トランスポートストリームＴＳxx，ＴＳyyに対して補正処理を行う際、低電界の下で受信した場合に不安定となる映像データや音声データの最下位ビットを強制的に“０”に変更（すなわち、置換）することで、不安定性を除去したトランスポートストリームＴＳxc，ＴＳycを生成することとしているが、最下位ビットを強制的に“１”に変更しても良いし、最下位ビットから上位複数ビットについて、所定のバイナリデータで変更するようにしてもよい。すなわち、低電界の下で不安定となる最下位ビットから１又は複数ビットを予め決めておき、当該１又は複数ビットについて、所定のバイナリデータで変更するようにしてもよい。
【００６９】
また、不安定性を除去したトランスポートストリームＴＳxc，ＴＳycを生成する技法として、トランスポートストリームＴＳxc，ＴＳycの所定ビットを他のビットデータに置換する技法に限らず、不安定性を取り除く他の技法を講じるようにしてもよい。
【００７０】
また、本実施形態では、誤り訂正された回数の多いＴＳパケットが時間的に高い頻度で連続しているか否かの判定、すなわち、受信品質の悪い状態を判定することとしているが、かかる場合とは逆に、誤り訂正された回数の少ないＴＳパケットが時間的に高い頻度で連続しているか否かの判定、すなわち、受信品質の良い状態を判定するようにしてもよい。
【００７１】
すなわち、連続性判定部１４x，１４yは、誤り訂正された回数の少ないＴＳパケットが時間的に高い頻度で連続していると判定した場合に低電界ではないと判定して、補正部８に対して「補正指示」を行わない補正制御信号ＣＭＰを供給し、誤り訂正された回数の少ないＴＳパケットが時間的に高い頻度で連続していないと判定した場合に低電界であると判定して、補正部８に対して「補正指示」を示す補正制御信号ＣＭＰを供給するようにしてもよい。
【実施例１】
【００７２】
次に、図１に示した実施形態に係るより具体的な実施例の無線受信装置について、図３及び図４を参照して説明する。なお、図３は、本実施例の無線受信装置の構成を表したブロック図であり、図１と同一又は相当する部分を同一符号で示している。図４は、本実施例の無線受信装置の動作を説明するためのタイミングチャートである。
【００７３】
図３において、この無線受信装置１は、図１に示した無線受信装置と同様に、４個のダイバーシティアンテナ２a，２b，２c，２dが接続されたアンテナ選択部３と、アンテナ選択部３で切り替えられた、何れか１つのダイバーシティアンテナからの受信信号Ｓinを入力する受信部４と、レベル検出部としてのＡ／Ｄ変換器５と、連続性判定部６、同期信号再生部７、補正部としての補正回路８と、アンテナ切替制御部９とを有する他、無線受信装置１全体を同期動作させるためのシステムクロックＣＫを発生するシステムクロック発生回路１０を備えて構成されている。
【００７４】
ここで、受信部４は、高周波数の受信信号Ｓinを増幅して、そのＲＦ信号ＳRFを出力するＲＦアンプ部４aと、ユーザから指定された放送チャンネルＣＨに相当する同調周波数の局発信号ＬＯを出力する局部発振器４cと、ＲＦ信号ＳRFと局発信号ＬＯとを混合することにより中間周波信号（ＩＦ信号）ＳIFを生成して出力する周波数変換部４bと、ＩＦ信号ＳIFを増幅及び所定の周波数帯域で帯域制限することにより、所謂希望波としてのＩＦ信号ＳIFWを出力するＩＦアンプ部４dと、ＩＦ信号ＳIFWを検波することで復合映像信号Ｃvdを生成する検波回路４eと、復合映像信号Ｃvdから復合同期信号Ｃsyncを分離する同期分離回路４fを有して構成されている。また、図示していないが、受信部４には、復合映像信号Ｃvdから音声信号成分Ｃauと映像信号成分（符号略）を検出し、各々の信号成分について所定の復調処理を施すことで、スピーカ等に供給するための音声信号Ｓauと映像信号Ｓvdを再生して出力する。
【００７５】
Ａ／Ｄ変換器５は、受信部４で生成される複合映像信号Ｃvdのうち、垂直ブランキング期間に同期して生じるペデスタルレベルを検出し、その検出結果を８ビットのバイナリデータから成るレベル検出信号ＤＬＶ(i)にアナログディジタル変換して、補正回路８へ供給する。更に、Ａ／Ｄ変換器５は、後述の同期信号再生部７から供給される垂直同期信号Ｖdに同期して、上述の垂直ブランキング期間に同期して生じるペデスタルレベルを検出するようになっている。
【００７６】
補正回路８は、後述の連続性判定回路６bから供給される補正制御信号ＣＭＰの指示に従って、レベル検出信号ＤＬＶ(i)の最下位ビットを強制的に“０”にして出力、又はレベル検出信号ＤＬＶ(i)をそのまま出力する。
【００７７】
すなわち、補正制御信号ＣＭＰによって、レベル検出信号ＤＬＶ(i)の最下位ビットを強制的に“０”にすべき旨の指示（補正指示）がなされると、補正部８は、レベル検出信号ＤＬＶ(i)の最下位ビットのみを強制的に“０”にする補正処理を施し、その強制的に“０”にしたレベル検出信号ＤＬＶＣ(i)を出力する。一方、補正制御信号ＣＭＰによって「補正指示」がなされないときには、レベル検出信号ＤＬＶ(i)をそのままレベル検出信号ＤＬＶＣ(i)として出力する。
【００７８】
なお、説明の便宜上、補正部８から出力されるレベル検出信号ＤＬＶＣ(i)を、「補正検出信号」と言うこととする。
【００７９】
アンテナ切替制御部９は、比較回路９aとアンテナ切替回路９bを有して構成され、後述の垂直同期再生回路７aから供給される垂直同期信号Ｖdに同期して、垂直ブランキング期間から次の最初の水平走査期間に移行する前までの期間において、アンテナ切替制御信号ＣＨＧをアンテナ選択部３に供給し、最良の受信品質が得られるダイバーシティアンテナに切り替えさせる。
【００８０】
すなわち、アンテナ切替回路９bが、まず、アンテナ切替制御信号ＣＨＧによってアンテナ選択部３を切替制御し、受信部４と各ダイバーシティアンテナ２a，２b，２c，２dとを接続させる。これにより、レベル検出部５からは、レベル検出信号ＤＬＶ(a)，ＤＬＶ(b)，ＤＬＶ(c)，ＤＬＶ(d)が出力され、補正回路８からは補正検出信号ＤＬＶＣ(a)，ＤＬＶＣ(b)，ＤＬＶＣ(c)，ＤＬＶＣ(d)が出力される。次に、比較回路９aが、これら補正検出信号ＤＬＶＣ(a)，ＤＬＶＣ(b)，ＤＬＶＣ(c)，ＤＬＶＣ(d)の最大値を検出し、最大値に相当するダイバーシティアンテナを最良の受信品質が得られるダイバーシティアンテナであると判断する。そして、その判断したダイバーシティアンテナと受信部４とを接続させるべく、アンテナ切替回路９bに判断結果ＪＤを供給し、切り替え制御信号ＣＨＧによってアンテナ選択部３を切り替え制御させる。
【００８１】
同期信号再生部７は、垂直同期再生回路７aと水平同期再生回路７bを有して構成されている。そして、垂直同期再生回路７aが、複合同期信号Ｃsyncに含まれている垂直同期信号成分を検出し、その検出した垂直同期信号成分に同期し且つ所定の垂直同期周波数（本実施例では、ＮＴＳＣ方式の規格に準拠した約６０Ｈｚの周波数）となる垂直同期信号Ｖdを発生する。更に、水平同期再生回路７bが、複合同期信号Ｃsyncに含まれている水平同期信号成分を検出し、その検出した水平同期信号成分に同期し且つ所定の水平同期周波数（本実施例では、ＮＴＳＣ方式の規格に準拠した約１５．７３ｋＨｚの周波数）となる水平同期信号Ｈwを発生する。
【００８２】
連続性判定部６は、水平同期検出回路６aと連続性判定回路６bとを有して構成されている。そして、水平同期検出回路６aが、水平同期信号Ｈwに同期して、複合同期信号Ｃsyncから水平同期信号成分Ｈinを検出して連続性判定回路６bに供給する。更に、連続性判定回路６bが、水平同期信号成分Ｈinが検出されたか否か、水平同期信号成分Ｈinが連続して検出されたか否か、連続して検出された場合にはその連続性が所定の頻度で生じたか否かを調べることにより、受信品質が良好か否かの判定を行う。
【００８３】
そして、連続性判定回路６bは、受信品質が良好であると判定した場合には、補正回路８に対して「補正指示」を行わない旨の補正制御信号ＣＭＰを出力し、受信品質が良好でないと判定した場合には、補正回路８に対して「補正指示」を示す補正制御信号ＣＭＰを出力する。
【００８４】
つまり、連続性判定回路６bは、図１に示した実施形態における連続性判定部６と同様の処理を行い、「水平走査期間における条件」と「垂直走査期間における条件」とが満足されていると判定すると、弱電界の下で受信中ではないとする判定を行い、一方の条件でも満たされていない場合には、弱電界であるとする判定を行って、各々の判定結果に応じた補正制御信号ＣＭＰを出力する。
【００８５】
更に、連続性判定回路６bは、垂直ブランキング期間内において、「垂直走査期間における条件」が満足されているか否かの判定を完了し、次の１Ｖ期間Ｔv内において、その判定結果に応じて、「補正指示」を示す補正制御信号ＣＭＰ、又は「補正指示」を行わない補正制御信号ＣＭＰを出力する。
【００８６】
次に、かかる構成を有する無線受信装置１の動作について、図４を参照して説明する。なお、図４（ａ）は、連続性判定回路６bが、主として「水平走査期間における条件」が満足されているか否かの判定を行う際の動作例を示したタイミングチャートである。図４（ｂ）は、連続性判定回路６bが、主として「垂直走査期間における条件」が満足されているか否かの判定を行う際の動作例を示したタイミングチャートである。
【００８７】
図４（ａ）において、受信部４が何れかのダイバーシティアンテナから出力される受信信号Ｓinを継続的に入力して受信動作を行っている際、水平同期検出回路６aが、１Ｈ期間Ｔh毎に生じる水平同期信号Ｈwに同期して、複合同期信号Ｃsyncから水平同期信号成分Ｈinを検出するための処理を行うと共に、連続性判定回路６bが、水平同期信号成分Ｈinと水平同期信号Ｈwとの時間軸上での「一致性」を調べる。そして、連続性判定回路６bは、水平同期信号成分Ｈinが検出されない場合には「一致性」が無いと判断し、水平同期信号成分Ｈinと水平同期信号Ｈwとが同時に生じた場合に「一致性」が有ると判断する。
【００８８】
更に、連続性判定回路６bは、「一致性」の有る状態がｎ回（３回）連続して発生する毎に、水平同期信号成分Ｈinが適切に検出され且つ「連続性」が有ると判断して、論理“Ｈ”となる矩形波状の連続性検知信号Ｅdを内部で生成すると共に、その１Ｈ期間Ｔhにおいて生成した連続性検知信号Ｅdの発生回数ｍを、垂直同期信号Ｖdで規定される１Ｖ期間Ｔvの間ずつ計数する。そして、図４（ｂ）に例示するように、１Ｖ期間Ｔv内において、回数ｍが所定回数ｕ（６３回）以上となった場合には、「連続性の頻度」が高いと判断し、「水平走査期間における条件」が満たされていることを示す論理“Ｈ”となる矩形波状の安定検知信号Ｅusを内部で生成する。一方、回数ｍが１Ｖ期間Ｔv内においてｕ回未満の場合には、「連続性の頻度」が低いと判断し、「水平走査期間における条件」が満たされていないと判定する。
【００８９】
そして更に、連続性判定回路６bは、上述の１Ｖ期間Ｔvにおいて生じる安定検知信号Ｅusを計数することによって、ｋ回（３回）連続して生じたか否かを判断し、ｋ回連続した場合には、「垂直走査期間における条件」が満たされており、弱電界でないと判断して、「補正指示」を行わないことを示す論理“Ｈ”となる補正制御信号ＣＭＰを出力する。一方、安定検知信号Ｅusの連続回数がｋ回未満のときには、「垂直走査期間における条件」が満たされず、弱電界で有ると判断して、「補正指示」を示す論理“Ｌ”となる補正制御信号ＣＭＰを出力する。
【００９０】
こうして連続性判定回路６bから補正制御信号ＣＭＰが出力されるのと並行して、アンテナ切替回路９bが、１Ｖ期間Ｔv毎の周期に同期した各々のタイミングＳＬＣＴで、所定期間τ内において、各ダイバーシティアンテナ２a〜２bと受信部４とを接続させることにより、補正回路８が、Ａ／Ｄ変換器５を介してレベル検出信号ＤＬＶ(a)〜ＤＬＶ(d)を入力する。
【００９１】
そして、連続性判定回路６bから「補正指示」を行わない旨を示す論理“Ｈ”となる補正制御信号ＣＭＰが出力されているときには、補正回路８は、レベル検出信号ＤＬＶ(a)〜ＤＬＶ(d)をそのまま補正検出信号ＤＬＶＣ(a)〜ＤＬＶＣ(d)として比較器９aに供給し、一方、連続性判定回路６bから「補正指示」を示す論理“Ｌ”となる補正制御信号ＣＭＰが出力されているときには、補正回路８は、レベル検出信号ＤＬＶ(a)〜ＤＬＶ(d)の最下位ビットを“０”に変更する補正処理を施し、その変更した補正検出信号、別言すれば不安定性を除いた補正検出信号ＤＬＶＣ(a)〜ＤＬＶＣ(d)を比較器９aに供給する。
【００９２】
そして、比較器９aは、レベル検出信号ＤＬＶ(a)〜ＤＬＶ(d)のままの補正検出信号ＤＬＶＣ(a)〜ＤＬＶＣ(d)が供給されると、それらの補正検出信号ＤＬＶＣ(a)〜ＤＬＶＣ(d)のうちで最大値となる補正検出信号を検出すると共に、当該検出した補正検出信号に相当するダイバーシティアンテナに切り替えるべく、アンテナ切替回路９bを通じて、アンテナ選択部３を制御する。
【００９３】
一方、比較器９aは、最下位ビットが“０”に変更された補正検出信号ＤＬＶＣ(a)〜ＤＬＶＣ(d)が供給されると、それらの補正検出信号ＤＬＶＣ(a)〜ＤＬＶＣ(d)のうちで最大値となる補正検出信号を検出すると共に、当該検出した補正検出信号に相当するダイバーシティアンテナに切り替えるべく、アンテナ切替回路９bを通じて、アンテナ選択部３を制御する。
【００９４】
したがって、受信部４が低電界の下で受信している場合のように受信品質が良くないときには、レベル検出信号ＤＬＶ(a)〜ＤＬＶ(d)が不安定となるが、比較回路９aは、最下位ビットが“０”に変更され不安定性が除去された補正検出信号ＤＬＶＣ(a)〜ＤＬＶＣ(d)に基づいて、最良の受信品質の得られるダイバーシティアンテナを検出することが可能となっている。
【００９５】
以上説明したように、本実施例の無線受信装置１では、連続性判定回路６bが、複合同期信号Ｃsync中の水平同期信号成分Ｈinについて「水平走査期間における条件」と「垂直走査期間における条件」が満たされているか否か調べることによって、水平同期信号成分Ｈinが時間的に継続して復調されているか否かを判定し、更に、水平同期信号成分Ｈinが継続して復調されていると判定した場合に受信品質が良好であると判定する。したがって、単に水平同期信号成分のレベルを調べるだけで弱電界の下で受信中か否かを判定するのとは異なり、より高精度で弱電界か否かを判定することができる。
【００９６】
更に、連続性判定回路６bが、受信品質の良否判定結果に応じた補正制御信号ＣＭＰを補正回路８に供給し、受信品質の良いときには、補正回路８はＡ／Ｄ変換器５から供給されるレベル検出信号ＤＬＶ(a)，ＤＬＶ(b)，ＤＬＶ(c)，ＤＬＶ(d)をそのまま補正検出信号ＤＬＶＣ(a)，ＤＬＶＣ(b)，ＤＬＶＣ(c)，ＤＬＶＣ(d)として比較回路９aに供給し、低電界の下で放送波を受信している場合のように受信品質の良くないときには、補正回路８はレベル検出信号ＤＬＶ(a)，ＤＬＶ(b)，ＤＬＶ(c)，ＤＬＶ(d)の最下位ビットを強制的に“０”にして、補正検出信号ＤＬＶＣ(a)，ＤＬＶＣ(b)，ＤＬＶＣ(c)，ＤＬＶＣ(d)を比較回路９aに供給して、ダイバーシティアンテナ２a〜２dを切り替えるための制御を行わせる。
【００９７】
つまり、受信品質の良くないときには、レベル検出信号ＤＬＶ(a)，ＤＬＶ(b)，ＤＬＶ(c)，ＤＬＶ(d)は、最下位ビットの値が不安定となり信頼性が無いことから、仮に比較回路９aが、レベル検出信号ＤＬＶ(a)，ＤＬＶ(b)，ＤＬＶ(c)，ＤＬＶ(d)を比較して、最大値となっているレベル検出信号に対応するダイバーシティアンテナを選択したのでは、精度の良い選択を行うことができなくなる。これに対し、本実施例では、不安定で信頼性の無い最下位ビットを強制的に“０”に変更することで不安定性を除去した補正検出信号ＤＬＶＣ(a)，ＤＬＶＣ(b)，ＤＬＶＣ(c)，ＤＬＶＣ(d)を比較回路９aに供給し、比較回路９aがかかる補正検出信号ＤＬＶＣ(a)，ＤＬＶＣ(b)，ＤＬＶＣ(c)，ＤＬＶＣ(d)を比較して、最大値となっている補正検出信号に対応するダイバーシティアンテナを選択するので、最も受信品質の良い１つのダイバーシティアンテナを精度良く且つ高い安定性をもって選択することができる。このため、低電界の下でのダイバーシティアンテナの切り替えが不安定とはならず、受信品質の向上を実現することが可能である。
【実施例２】
【００９８】
次に、図２（ａ）に示した実施形態に係るより具体的な実施例の無線受信装置について、図５及び図６を参照して説明する。なお、図５は、本実施例の無線受信装置の構成を表したブロック図であり、図２（ａ）と同一又は相当する部分を同一符号で示している。図６は、本実施例の無線受信装置の動作を説明するためのタイミングチャートである。
【００９９】
図５において、この無線受信装置１０は、図２（ａ）に示した無線受信装置と同様に、２個のダイバーシティアンテナ１１x，１１yが接続された２系統の受信部１２x，１２yと、受信部１２x，１２yに同じ局発信号ＬＯを供給する局部発振器１３と、連続性判定部１４x，１４yと、補正部１５x，１５y、合成部１６、復号部１７を有して構成されている。
局部発振器１３は、ユーザから指示される放送チャンネルＣＨに対応する同調周波数の局発信号ＬＯを発生し、受信部１２x，１２yに供給する。
【０１００】
受信部１２xは、ダイバーシティアンテナ１１xに生じる高周波数の受信信号Ｓxinを増幅して、そのＲＦ信号ＳRFxを出力するＲＦアンプ部１２xaと、ＲＦ信号ＳRFxと局発信号ＬＯとを混合することにより中間周波信号（ＩＦ信号）ＳIFxを生成して出力する周波数変換部１２xbと、ＩＦ信号ＳIFxを増幅及び所定の周波数帯域で帯域制限することにより、所謂希望波としてのＩＦ信号ＳIFWxを出力するＩＦアンプ部１２xcと、ＩＦ信号ＳIFWxをディジタルデータから成るＩＦ信号ＤIFWxにアナログディジタル変換するＡ／Ｄ変換器１２xdと、ＩＦ信号ＤIFWxに対して同調処理とＦＦＴと復調処理等の各処理を施すことによって、図２（ｂ）に示したようなトランスポートストリームＴＳxを生成する復調部１２xeと、トランスポートストリームＴＳxの各ＴＳパケット中のＴＳペイロード（より詳細には、エレメンタリストリーム）に対してビタビ復号やリードソロモン符号による誤り訂正を行って、その誤り訂正したトランスポートストリームＴＳxxを出力する誤り訂正部１２xfを有して構成されている。
【０１０１】
更に、誤り訂正部１２xfは、誤り訂正を行う際に、エレメンタリストリームを形成している映像データや音声データについて訂正したバイト数を示す訂正数データＤrxを出力する。
【０１０２】
受信部１２yも受信部１２xと同様の構成を有し、ダイバーシティアンテナ１１yに生じる高周波数の受信信号Ｓyinを増幅して、そのＲＦ信号ＳRFyを出力するＲＦアンプ部１２yaと、ＲＦ信号ＳRFyと局発信号ＬＯとを混合することにより中間周波信号（ＩＦ信号）ＳIFyを生成して出力する周波数変換部１２ybと、ＩＦ信号ＳIFyを増幅及び所定の周波数帯域で帯域制限することにより、所謂希望波としてのＩＦ信号ＳIFWyを出力するＩＦアンプ部１２ycと、ＩＦ信号ＳIFWyをディジタルデータから成るＩＦ信号ＤIFWyにアナログディジタル変換するＡ／Ｄ変換器１２ydと、ＩＦ信号ＤIFWyに対して同調処理とＦＦＴと復調処理等の各処理を施すことによって、図２（ｂ）に示したようなトランスポートストリームＴＳyを生成する復調部１２yeと、トランスポートストリームＴＳyの各ＴＳパケット中のＴＳペイロードに対してビタビ復号やリードソロモン符号による誤り訂正を行って、その誤り訂正したトランスポートストリームＴＳyyを出力する誤り訂正部１２yfを有して構成されている。
【０１０３】
更に、誤り訂正部１２yfは、誤り訂正を行う際に、エレメンタリストリームを形成している映像データや音声データについて訂正したバイト数を示す訂正数データＤryを出力する。
【０１０４】
そして、連続性判定部１４ｘ，１４yと補正部１５x，１５yと合成部１６及び復号部１７は、図２（ａ）に示した無線受信装置と同様の構成となっている。
【０１０５】
次に、かかる構成を有する本実施例の無線受信装置１０の動作について、図６を参照して説明する。なお、図６（ａ）は、連続性判定部１４x，１４yが、エラー検知信号Ｅxd，Ｅydを発生する際の動作例を示したタイミングチャート、図６（ｂ）は、連続性判定部１４x，１４yが、補正制御信号ＣＭＰx，ＣＭＰyを発生する際の動作例を示したタイミングチャートであり、便宜上、連続性判定部１４x，１４yの動作例を同じタイミングチャートで示している。
【０１０６】
図６（ａ）において、連続性判定部１４x（１４y）は、誤り訂正部１２xf（１２xf）から出力される訂正数データＤrxを入力する。そして、ＴＳパケット単位で出力される訂正数データＤrx（Ｄry）が所定バイト数ｒ（５バイト）訂正したことを示し、且つ所定個数ｓ（３個）のＴＳパケットについて連続していることを検出すると、エラー検知信号Ｅxd（Ｅyd）を内部で発生する。更に、連続する所定個数Ｔ（２５６個）分のＴＳパケットについての訂正数データＤrx（Ｄry）を入力する期間内に、そのエラー検知信号Ｅxd（Ｅyd）の発生回数ｐを計数し、その発生回数ｐが所定回ｑ（３１回）以上のときに不安定検出信号Ｅxus（Ｅyus）を内部で発生する。そして更に、不安定検出信号Ｅxus（Ｅyus）を所定回ｈ（３回）連続して発生することとなった場合に、次のＴ個のＴＳパケットの期間において、「補正指示」を示す補正制御信号ＣＭＰx（ＣＭＰy）を補正部１５x（１５y）に供給する。
【０１０７】
つまり、受信部１２x（１２y）が各ＴＳパケットについて所定バイト数ｒの誤り訂正処理を行い、且つその訂正処理をｓ回連続して行った場合に、連続性判定部１４x（１４y）がエラー検知信号Ｅxd（Ｅyd）を発生する。更に、受信部１２x（１２y）が連続する所定個数Ｔ分のＴＳパケットについて誤り訂正処理を行う期間内に、連続性判定部１４x（１４y）がエラー検知信号Ｅxd（Ｅyd）の発生回数ｐを計数し、その発生回数ｐが所定回ｑ以上となった場合に、不安定検出信号Ｅxus（Ｅyus）を発生する。そして更に、連続性判定部１４x（１４y）は、不安定検出信号Ｅxus（Ｅyus）を所定回ｈ連続して発生することとなった場合に、次の個数ＴのＴＳパケットの期間において、補正部１５x（１５y）に対して後述の補正処理を行わせるための「補正指示」を示す補正制御信号ＣＭＰx（ＣＭＰy）を出力する。
【０１０８】
このように、連続性判定部１４x（１４y）は、訂正数データＤrx（Ｄry）を調べることにより、誤り訂正処理の行われたＴＳパケット内にバイト数と、誤り訂正処理の行われたＴＳパケットの連続性と、所定個数Ｔ分のＴＳパケットの期間内におけるその連続性の発生頻度の高低を判断し、更にその発生頻度が高い状態が所定回ｈ連続して発生することとなった場合に、低電界の下で受信していると判定して、「補正指示」を示す補正制御信号ＣＭＰx（ＣＭＰy）を出力する。一方、連続性判定部１４x（１４y）は、上述の発生頻度が高い状態が所定回ｈ未満の場合には、「補正指示」を行わない補正制御信号ＣＭＰx（ＣＭＰy）を出力する。
【０１０９】
補正部１５xは、「補正指示」を示す補正制御信号ＣＭＰxが供給される期間において、受信部１２xから出力されるＴＳパケット中のＴＳペイロードに対して、最下位ビットのデータを強制的に“０”にする補正処理を行って出力する。一方、「補正指示」行わない旨の補正制御信号ＣＭＰxが供給される期間では、受信部１２xから出力されるＴＳパケット中のＴＳペイロードに対して、最下位ビットのデータを強制的に“０”にする補正処理を行うことなく、そのまま出力する。
【０１１０】
したがって、補正部１５xは、補正制御信号ＣＭＰxの指示に従って、補正処理を行ったＴＳパケットのみの期間と補正処理を行わないＴＳパケットのみの期間との系列から成るトランスポートストリームＴＳxcを出力する。
【０１１１】
補正部１５yも補正部１５xと同様に、「補正指示」を示す補正制御信号ＣＭＰyが供給される期間において、受信部１２yから出力されるＴＳパケット中のＴＳペイロードに対して、最下位ビットのデータを強制的に“０”にする補正処理を行って出力する。一方、「補正指示」行わない旨の補正制御信号ＣＭＰyが供給される期間では、受信部１２yから出力されるＴＳパケット中のＴＳペイロードに対して、最下位ビットのデータを強制的に“０”にする補正処理を行うことなく、そのまま出力する。
【０１１２】
そして、合成部１６が、トランスポートストリームＴＳxcとＴＳycを入力すると共に、受信部１２xが上述の誤り訂正を行う際に出力するエラーレートを示すデータＢＥＲxと、受信部１２yが上述の誤り訂正を行う際に出力するエラーレートを示すデータＢＥＲyを入力し、データＢＥＲxの方が良好な受信品質を示しているときには、トランスポートストリームＴＳxcのＴＳパケットを出力し、データＢＥＲyの方が良好な受信品質を示しているときには、トランスポートストリームＴＳycのＴＳパケットを出力する。
【０１１３】
すなわち、合成部１６は、データＢＥＲxとＢＥＲyに基づいて、トランスポートストリームＴＳxcとＴＳycの各ＴＳパケットを切り替えることにより、より良好な受信品質の得られるトランスポートストリームＴＳxyを生成して出力する。
【０１１４】
そして、復号部１７が、トランスポートストリームＴＳxyを入力し、所定の音声符号化方式（ＭＰＥＧ-２ Audio）と映像符号化方式（ＭＰＥＧ-２ Video）に準拠した復号処理を施すことにより、放送局側から送られてきた音声信号Ｓauと映像信号Ｓvdを再生して出力する。
【０１１５】
更に、復号部１７は、放送局側と本無線受信装置１０の基本クロックを合わせるためにトランスポートストリームＴＳxyに含めて送られてくることとなるＰＣＲと呼ばれるクロック情報データを検出し、当該クロック情報データに合わせたタイミング信号Ｓtmを生成して連続性判定部１４xと１４yに供給する。これにより、連続性判定部１４x，１４yは、各ＴＳパケット毎に誤り訂正処理が成された訂正数データＤrx，Ｄryを、タイミング信号Ｓtmに同期して、入力することができるようになっている。
【０１１６】
以上に説明した本実施形態の無線受信装置１０によれば、連続性判定部１４x，１４yが、訂正数データＤrx，Ｄryを調べることにより、誤り訂正処理の行われたＴＳパケット内のバイト数と、誤り訂正処理の行われたＴＳパケットの連続性と、所定個数Ｔ分のＴＳパケットの期間内におけるその連続性の発生頻度の高低を判断し、更にその発生頻度が高い状態が所定回ｈ連続して発生することとなった場合に、低電界の下で受信していると判定するので、単に受信部１２x，１２y内で生成されるＩＦ信号等のレベルを調べるだけで低電界の下で受信しているか否かの判定をするのとは異なり、より高精度で低電界の下で受信しているか否かの判定をすることができる。
【０１１７】
そして、連続性判定部１４x，１４yが、低電界であると判定すると、「補正指示」を示す補正制御信号ＣＭＰx，ＣＭＰyを出力し、補正部１５x，１５yがその補正制御信号ＣＭＰx，ＣＭＰyの指示に従って、トランスポートストリームＴＳxx，ＴＳyyに対して補正処理を行うことで、低電界の下で受信した場合に不安定となる映像データや音声データの最下位ビットを強制的に“０”に変更し、不安定性を除去したトランスポートストリームＴＳxc，ＴＳycを合成部１６側へ出力し、更に不安定性を除去したトランスポートストリームＴＳxc，ＴＳycのうち、エラーレートに基づいてより良好な受信品質となっているＴＳパケットを復号部１７において復号させるので、低電界の下で受信した場合でも、ダイバーシティアンテナ１１x，１１yの内でより良好な受信品質の得られるダイバーシティアンテナで受信した放送波に基づいて、より高品質の音声信号Ｓauと映像信号Ｓvdを再生することができる。
【図面の簡単な説明】
【図１】  本発明の第１の実施形態に係るアナログテレビ放送を受信する無線受信装置の構成を表したブロック図である。
【図２】  本発明の第２の実施形態に係る地上ディジタル放送を受信する無線受信装置の構成を表したブロック図である。
【図３】  図１に示した無線受信装置のより具体的な実施例の構成を表したブロック図である。
【図４】  図３に示した無線受信装置の動作を説明するためのタイミングチャートである。
【図５】  図２に示した無線受信装置のより具体的な実施例の構成を表したブロック図である。
【図６】  図５に示した無線受信装置の動作を説明するためのタイミングチャートである。
【図１】
0004496222.tif 000002
【図２】
0004496222.tif 000003
【図３】
0004496222.tif 000004
【図４】
0004496222.tif 000005
【図５】
0004496222.tif 000006
【図６】
0004496222.tif 000007